(57)【要約】      （修正有）【課題】グラウンド・ゴルフのコースを設置するに当たり、単一コースや並行コースの事情に応じて、必要な距離を測定するコースの設定専用の距離測定具を提供する。【解決手段】表裏面に渡ってそれぞれ５０ｍ、３０ｍ、２５ｍ、１５ｍ、０ｍに開けた穴７を目盛りとする長尺テープ２と、５ｃｍ、４ｃｍ、３ｃｍ、０ｃｍ、１・５ｃｍ、２ｃｍ、２・５ｃｍに開けた穴７を目盛りとする短尺テープ６とからなり、更に、長尺テープと短尺テープとの組合せて使用することにより、グラウンド・ゴルフのコースを設置するための距離測定具とする。【選択図】図３
0003180265.tif 000002
【実用新案登録請求の範囲】
【請求項１】
表裏面に渡ってそれぞれ５０ｍ、３０ｍ、２５ｍ，１５ｍ、０ｍに開けた穴を目盛りとする長尺テープからなる、グラウンド・ゴルフのコースを設置するための距離測定具。
【請求項２】
５ｍ、４ｍ、３ｍ、０、１・５ｍ、２ｍ、２・５ｍに開けた穴を目盛とする短尺テープからなる、請求項１のグラウンド・ゴルフのコースを設置するための距離測定具。
【請求項３】
長尺テープと短尺テープとの組合せからなる、請求項１のグラウンド・コースを設置するための距離測定具。
【請求項４】
表裏面に渡ってそれぞれ１ｍごとに施した色分けを目盛りとする長尺テープからなる、請求項１のグラウンド・ゴルフのコースを設置するための距離測定具。
【請求項５】
長尺テープや短尺テープと、テープに開けられた目盛りの穴に刺して測定地点を確定するピンとの組合せからなる、請求項１のグラウンド・ゴルフのコースを設置するための距離測定具。
【考案の詳細な説明】
【技術分野】
【０００１】  この考案は、グランド・ゴルフのコースを設置するための距離測定具に関するものである。
【背景技術】
【０００２】  グランド・ゴルフは、昭和５７年（１９８２年）、国の生涯スポーツ推進事業として誕生して以来、現在では、全国的なスポーツとして、平成２７年（２０１５年）の国民体育大会の公開競技種目に加わり、かつ、海外にまで普及発展している。【０００３】  グランド・ゴルフは、ゴルフを基礎にした球技であり、誰でも、いつでも、どこでも、いつまでもできるスポーツとして開発されたものである。したがって、年齢・性別・体力・運動能力等によって、プレーの結果に大きな影響を及ぼすことはない。【０００４】  公益社団法人日本グランド・ゴルフ協会（以下、日本協会）の刊行する「ルールブック２０１１」によると、ルールには１６条の定めがあり、エチケット（１〜３条）及びゲームに関するル―ル（４条〜１６条）から構成されている。【０００５】  スタートマットとホールポストとの間隔を５０ｍ、３０ｍ、２５ｍ、１５ｍの距離に設定できるならば、どんな場所でも、グランド・ゴルフがプレーできる。このためには、クラブとボールを必要とする。【０００６】  プレーヤーが、スタートマットから、クラブでボールを打ち転がし、ホールポスト内に入って静止した、「トマリ」というホールインの状態までの打数を数える。一打で入ると、合計から三打差引いて計算する。【０００７】  スタートマットとホールポストを組合せると、ホールといい、各２ホールの合計８ホールを標準とする。これを一つの単位とし、コースという。コースを設置するのは自由であるし、また、どんな場所でもよい。【０００８】  したがって、２コース以上（１６ホール以上）の設置も許される。これを単一コースに対して、並行コースという。そうすると、これらのコースを設置するためには、それぞれの必要に応じた距離を測定する必要がある。【０００９】  単一コースでは、スタートマットからホールポストに至るホールの５０ｍ、３０ｍ、２５ｍ、１５ｍの距離、また、隣接地コースのホールとの５ｍ、４ｍ、３ｍの距離及びこの境界との２・５ｍ、２ｍ、１・５ｍの距離を測定する必要がある。【００１０】  これに対し、並行コースでは、スタートマットからホールポストに至るホールの距離、また、隣接地コースのホールとの距離及びこの境界との距離のみならず、並行する別のコースとの５ｍ、４ｍ、３ｍの距離をも測定する必要がある。【００１１】  その結果、これらの二つのコースを設置するにあたり、いずれのコースにおいても、５０ｍ、３０ｍ、２５ｍ、１５ｍの距離、また、５ｍ、４ｍ、３ｍ、２・５ｍ、２ｍ、１・５ｍの距離を測定することになる。【００１２】  そうすると、これらの距離を測定するための測定用具が必要となる。これは、ゴルフと比べると、従来、簡単な器具にすぎなかった。一般的に、紙・ビニール・繊維等を材質としたテープや紐を収納する巻取機が実用されている。【００１３】  しかし、従来のテープや紐による測定では、余り正確とはいえず、かつ、不便を伴うものであった。そこで、グランド・ゴルフのコースを正確に設置してプレーを楽しむためには、専用の距離測定用具が必要となる。
【考案の開示】
【考案が解決しようとする課題】
【００１４】  この考案が解決しようする問題点は、次の通りである。【００１５】  先ず、グランドゴルフのコースを設置するためには、ルールに従って、スタートマットからホールポストに至るホールの距離、また、隣接地コースのホールとの距離及びこの境界との距離、更に、並行する別のコースとの距離を測定する必要がある。【００１６】  次に、グランドゴルフのコースを設置するために、必要な距離を測定する器具が必要である。従来の紙・ビニール・繊維等を材質としたテープや紐を収納した巻取機では、余り正確とはいえず、かつ、不便を伴うものであった。【００１７】  最後に、グランドゴルフは、コースの設置を自由できるし、また、どんな場所もよいので、コースの設置にあたり、必要となる距離の測定が正確でなければ、このゲームを楽しむことができなくなる。
【課題を解決するための手段】
【００１８】  この考案が解決する手段は、次の通りである。【００１９】  先ず、表裏面に渡ってそれぞれ５０ｍ、３０ｍ、２５ｍ、１５ｍ、０ｍに開けた穴（７）を目盛りとする長尺テープ（２）からなる、グラウンド・ゴルフのコースを設置するための距離測定具（１）である。【００２０】  次に、５ｍ、４ｍ、３ｍ、０ｍ、１・５ｍ、２ｍ、２・５ｍに開けた穴（７）を目盛りとする短尺テープ（６）からなる、グラウンド・ゴルフのコースを設置するための距離測定具（１）である。【００２１】  更に、長尺テープと短尺テープとの組合せからなる、グラウンド・ゴルフのコースを設置するための距離測定具（１）である。【００２２】  更に、表裏面（３）（４）に渡ってそれぞれ１ｍごとに施した色分けを目盛りとする長尺テープ（５）からなる、グラウンド・ゴルフのコースを設置するための距離測定具（１）である。【００２３】  最後に、長尺テープ（２）や短尺テープ（６）と、テープに開けられた目盛りの穴（７）に刺して測定地点を確定するピン（１０）との組合せからなる、グラウンド・ゴルフのコースを設置するための距離測定具（１）である。
【考案の効果】
【００２４】  この考案の効果は、次の通りである。【００２５】  先ず、この考案の長尺テープ（２）と短尺テープ（６）には、目盛りとして穴（７）が開けられているので、単一コース（１２）や並行コース（１３）の事情に応じて、この穴（７）を目印にして簡単かつ迅速に、必要な距離を測定することができる。【００２６】  次に、この考案の長尺テープ（２）と短尺テープ（６）は、グラウンド・ゴルフのルールに従って、いろいろと組合せをすることによって、単一コース（１２）と並行コース（１３）の事情に応じて、必要な距離を正確に測定することができる。【００２７】  更に、この考案の長尺テープ（２）は、表裏面に渡ってそれぞれ開けられた穴（７）を目盛りとするので、事情に応じて、テープの表裏面（３）（４）を取り替えるだけで、いずれの方向からでも、コースの距離を測定することができる。【００２８】  最後に、長尺テープ（２）と短尺テープ（６）を単一コース（１２）と並行コース（１３）の事情に応じて利用すると、簡単・迅速に、かつ、正確に、必要な距離を測定することができるので、誰もがグラウンド・ゴルフを楽しむことができる。
【最良の実施例】
【００２９】  この考案の最良の実施例は、次の通りである。
【００３０】  グラウンド・ゴルフのコースを設置するために必要な距離を測定する用具（１）となるのは、テープである。これは、ビニール加工した繊維を素材とし、また、幅は４ｃｍ程度のものでよいが、長さには、次のような区別がある。
【００３１】  表裏面（３）（４）に渡ってそれぞれ５０ｍ、３０ｍ、２５ｍ、１５ｍ、０ｍに開けた穴（７）を目盛りとする長尺テープ（２）、また、５ｍ、４ｍ、３ｍ、０、１・５ｍ、２ｍ、２・５ｍに開けた穴（７）を目盛りとする短尺テープ（６）である。
【００３２】  長尺テープ（２）と短尺テープ（６）は、グラウンド・ゴルフのルールを遵守し、単一コース（１２）や並行コース（１３）の事情に応じて、いろいろと組み合わせて、必要な距離を測定し、それぞれのコースを設置する。
【実施例】
【００３３】  この考案の実施例は、次の通りである。【００３４】  この考案は、グランド・ゴルフのコースを設置するために、単一コース（１２）や並行コース（１３）の事情に応じて、必要な距離を測定する用具（１）に関するものである。【００３５】  先ず、グランドゴルフのコースを設置するための距離測定具（１）は、長尺テープ（２）と短尺テープ（６）からなる。【００３６】  いずれも、ビニール加工した繊維を素材とするテープであって、市販されているものでよい。幅４ｃｍ程度のテープを正味５０ｍと７・５ｍの長さをとる。これに１ｃｍの穴（７）を開けて目盛りとする。【００３７】  正味５０ｍの長さを有するテープを長尺テープ（２）という。表面（３）は、巻取機（１１）の側から左に１００ｃｍ余した（９）後、０ｍ、１５ｍ、２５ｍ、３０ｍ、５０ｍに開けた穴（７）を目盛りとし、そこから３０ｃｍを余す（９）。【００３８】  裏面（４）は、巻取機（１１）の側から左に１００ｃｍ余した（９）後、５０ｍ、３０ｍ、２５ｍ、１・５ｍ、０ｍに開けた穴（７）を目盛りとし、３０ｃｍ余す（９）。その結果、表裏面（３）（４）には、目盛り穴（７）ではない反対側の穴（８）も現れている。【００３９】  長尺テープ（２）は、表裏面（３）（４）に渡ってそれぞれ１ｍごとに色分けを施したもの（５）としてもよい。そうすると、グランドゴルフのコースを設置するために、それぞれの事情に応じて、簡単かつ素早く距離を測定することができる。【００４０】  正味７・５ｍの長さを有するテープを短尺テープ（６）という。両端に３０ｃｍ余した後（９）、０を基点とし、右に１・５ｍ、２ｍ、２・５ｍ、また、左３ｍ、４ｍ、５ｍを目盛りとして穴（７）を開ける。【００４１】  次に、長尺テープ（２）と短尺テープ（６）は、単一コース（１２）や並行コース（１３）の事情に応じて、いろいろと組み合わせをして、必要な距離を測定する。【００４２】  単一コース（１２）では、スタ−トマットからホ−ルポストに至るホールの５０ｍ、３０ｍ、２５ｍ、１５ｍの距離を確定するためには、長尺テープ（２）を地面に張って測定する。【００４３】  また、隣接地コースのホールとの５ｍ、４ｍ、３ｍの距離、また、この境界との２・５ｍ、２ｍ、１・５ｍの距離を確定するためには、長尺テープ（２）の端に短尺テープ（６）を張って測定する。【００４４】  並行コース（１３）では、スタートマットからホールポストに至る二つ以上のホールの距離を確定するために、長尺テープ（２）を並行に２本張り、かつ、これらの長尺テープ（２）の両端に短尺テープ（６）を並行して張り、それぞれの距離を測定する。【００４５】  また、隣接地コースのホールとの距離、また、この境界との距離を確定するためには、長尺テープ（２）を並行に２本張り、かつ、これらの長尺テープ（２）の両端に短尺テープ（６）を並行して張り、それぞれの距離を測定する。【００４６】  距離を測定した、テープの穴にピン（１０）を刺し、測定地点を確定する。ピン（１０）は、目盛りの穴よりも細くし、テープを外す際の障害とならないようにし、かつ、伸縮性のあるリボンを付け、ピン（１０）を引抜きやすくする。【００４７】  最後に、長尺テープ（２）も、短尺テープ（６）も、それぞれ、一定の長さを有するので、使用上及び保管上の便宜のために、一般に、巻取機（１１）に納める。この巻取機（１１）は、市販のものでよい。【００４８】  したがって、必要な距離を測定するに際し、巻取機（１１）から長尺テープ（２）を引き伸ばし、あるいは、短尺テープ（６）を外し、また、測定が終わると、巻取機（１１）に巻き戻すことになる。
【図面の簡単な説明】
【００４９】
【図１】  本考案のグラウンド・ゴルフのコース設置のための距離測定具としての長尺テープの表面及び裏面を示す図面である。
【図２】  本考案のグラウンド・ゴルフのコース設置のための距離測定具としての短尺テープを示す図面である。
【図３】  本考案のグラウンド・ゴルフの単一コース及び並行コース設置のための距離測定具としての長尺テープと短尺テープの使用状態を示す図面である。
【図４】  本考案のグランド・ゴルフのコース設置のための距離測定具としての色分けを施した長尺テープの図面である。
【図５】  本考案のグラウンド・ゴルフのコース設置のための距離測定具としてのピンの使用状態を示す図面である。
【符号の説明】
【００５０】１    距離測定具
２    長尺テープ
３    長尺テープの表面
４    長尺テープの裏面
５    色分け長尺テープ
６    短尺テープ
７    目盛り穴
８    裏目盛り穴
９    余端部
１０  ピン
１１  巻取機
１２  単一コース
１３  並行コース
【図１】
0003180265.tif 000003
【図２】
0003180265.tif 000004
【図３】
0003180265.tif 000005
【図４】
0003180265.tif 000006
【図５】
0003180265.tif 000007